(57)【要約】【課題】振分手段の作動内容が斬新であり、趣向性が高く、遊技者の遊技意欲を長期間に亘って高く保持することができる遊技機を提供する。【解決手段】パチンコ機１の振分機構８２は、遊技球を通過可能な誘導路３６と、遊技球が通過することによって内部抽選の契機となる始動口２２と、それらの誘導路３６および始動口２２よりも上方に位置したクルーン３０から落下した遊技球を誘導路３６あるいは始動口２２に振り分ける回転振分装置４１とを備えている。そして、回転振分装置４１の回転部材４２が、略鉛直軸を中心として回動可能になっているとともに、クルーン３０から落下した遊技球を衝突させるための傾斜面６０を有している。【選択図】図６
2020080899.tif 000002
【特許請求の範囲】
【請求項１】
流下した遊技球を遊技者にとっての利益が異なる少なくとも２つの流路に振り分けるための振分手段を遊技盤面上に設けた遊技機であって、
前記振分手段が、
遊技球を通過可能な第一通過路と、
遊技球が通過することによって第一通過路を遊技球が通過した場合とは異なる利益を遊技者へもたらす第二通過路と、
それらの第一通過路および第二通過路よりも上方から落下した遊技球を、第一通過路あるいは第二通過路に振り分ける振分体とを備えているとともに、
前記振分体が、鉛直軸あるいは鉛直方向に対して所定の角度の範囲内で傾斜した軸を中心として回動可能になっているとともに、上方から落下した遊技球を衝突させるための傾斜面を有していることを特徴とする遊技機。
【請求項２】
前記第二通過路内を遊技球が通過したことを条件として内部抽選を実行し、その内部抽選の結果に応じて遊技者にとって有利な特別遊技状態を生起させることを特徴とする請求項１に記載の遊技機。
【請求項３】
前記傾斜面が、上下方向に沿って凹状溝を設けたものであることを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
従来、遊技機の一種であるパチンコ機として、遊技球の流下態様に変化を持たせて趣向性を高める目的で、遊技球の流路を振り分けるための振分装置を遊技盤面に設けたものが知られている（特許文献１）。この特許文献１の振分装置は、モータによって一定のタイミングで回転する振分部材を備えており、遊技球が振分装置の進入口に進入すると、その遊技球が、回転している振分部材によって第１始動口または第２始動口の何れかに振り分けられるようになっている。
【先行技術文献】
【特許文献】
【０００３】
【特許文献１】特開２０１５−１２００６０号公報
【発明の概要】
【発明が解決しようとする課題】
【０００４】
しかしながら、上記特許文献１の如き振分装置を有するパチンコ機は、遊技球の流路を振り分ける振分部材の作動内容が単純であるため、趣向性が低く、短期間の内に遊技者の遊技意欲を減退させてしまう、という不具合がある。
【０００５】
本発明の目的は、振分手段の作動内容が斬新であり、趣向性が高く、遊技者の遊技意欲を長期間に亘って高く保持することが可能な遊技機を提供することにある。
【課題を解決するための手段】
【０００６】
かかる本発明のうち、請求項１に記載された発明は、流下した遊技球を遊技者にとっての利益が異なる少なくとも２つの流路に振り分けるための振分手段を遊技盤面上に設けた遊技機であって、前記振分手段が、遊技球を通過可能な第一通過路と、遊技球が通過することによって第一通過路を遊技球が通過した場合とは異なる利益を遊技者へもたらす第二通過路と、それらの第一通過路および第二通過路よりも上方から落下した遊技球を、第一通過路あるいは第二通過路に振り分ける振分体とを備えているとともに、前記振分体が、鉛直軸あるいは鉛直方向に対して所定の角度の範囲内で傾斜した軸を中心として回動可能になっているとともに、上方から落下した遊技球を衝突させるための傾斜面を有していることを特徴とするものである。
【０００７】
請求項２に記載された発明は、請求項１に記載された発明において、前記第二通過路内を遊技球が通過したことを条件として内部抽選を実行し、その内部抽選の結果に応じて遊技者にとって有利な特別遊技状態を生起させることを特徴とするものである。
【０００８】
請求項３に記載された発明は、請求項１、または請求項２に記載された発明において前記傾斜面が、上下方向に沿って凹状溝を設けたものであることを特徴とするものである。
【発明の効果】
【０００９】
請求項１に記載の遊技機は、振分手段が落下した遊技球を回転する傾斜面に衝突させることによって遊技球の流路を振り分けるものであり、振分手段による遊技球の振り分け方法が結果を予測し難い斬新なものであるので、趣向性が高く、遊技者の遊技意欲を長期間に亘って高く保持することができる。
【００１０】
請求項２に記載の遊技機は、振分手段による遊技球の振り分けの結果が遊技者にとって有利な特別遊技状態の生起に関係するため、振分手段による遊技球の振り分けの内容がエキサイティングであり、非常に趣向性が高く、遊技者の遊技意欲をきわめて長期間に亘って高く保持することができる。
【００１１】
請求項３に記載の遊技機は、振分体の傾斜面が上下方向に沿って凹状溝を設けたものであるため、振分体が所定の回転位相になったときに傾斜面に衝突した遊技球が特定の通過路に導かれ易いので、所定の出玉率となるように振分体の回転態様を制御し易い。
【図面の簡単な説明】
【００１２】
【図１】パチンコ機を示す説明図（正面図）である。
【図２】遊技盤を示す説明図（正面図）である。
【図３】パチンコ機を示す説明図（背面図）である。
【図４】センター役物の下側の部分を示す説明図（正面図）である。
【図５】図４におけるＡ−Ａ線断面を示す説明図である。
【図６】センター役物を示す説明図（前方斜視図）である。
【図７】回転振分装置（寿司ネタ状突起体が正面を向いた状態）を示す説明図である（ａは前方斜視図であり、ｂは後方斜視図である）。
【図８】寿司ネタ状突起体が正面を向いた状態における回転振分装置による遊技球の振り分け態様を示す説明図である。
【図９】回転振分装置の作動内容を示す説明図である（ａは前方斜視図であり、ｂは後方斜視図である）。
【図１０】寿司ネタ状突起体が右側を向いた状態における回転振分装置による遊技球の振り分け態様を示す説明図である。
【図１１】回転振分装置の作動内容を示す説明図である（ａは前方斜視図であり、ｂは後方斜視図である）。
【図１２】寿司ネタ状突起体が左側を向いた状態における回転振分装置による遊技球の振り分け態様を示す説明図である。
【発明を実施するための形態】
【００１３】
以下、本発明の遊技機の一実施形態であるパチンコ機について、図面に基づいて詳細に説明する。
【００１４】
＜パチンコ機の構造＞
図１〜３は、それぞれ、パチンコ機１を前面側から示した説明図、遊技盤２を前面側から示した説明図、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、機枠３に左端縁を軸として片開き可能に蝶着されており、その前扉４によって閉塞される遊技盤２の前方空間が遊技領域１６とされている。
【００１５】
図２に示されるように、当該遊技領域１６は、遊技盤２の前面に円弧状に配設された外レール２３および内レール２４等によって囲まれており、遊技領域１６の左部における両レール２３，２４の間が遊技球を遊技領域１６内へ打ち込むための発射通路１３とされている。また、遊技領域１６の中央やや上寄りとなる位置には、「０」〜「９」の数字からなる装飾図柄やキャラクター等を表示するための演出用表示部６、演出用表示部６の下辺に沿って左右方向に延設されており、その上面を遊技球が左右に転動可能な上ステージ３６、および、遊技領域１６内を流下する遊技球を上ステージ３６上へ導くためのワープ通路３７等を有する表示部材３８が設置されている。
【００１６】
さらに、表示部材３８の下方における遊技領域１６の中央部から下部には、遊技球が進入可能な進入口３１、進入口３１に進入した遊技球を左右の遊技球通路３３，３４へ振り分けて流下させる第二振分装置８１、遊技球通路３４へ導かれた遊技球を略一定時間滞留させて排出させるクルーン３０、遊技球が入賞すると内部抽選の契機となる非電動役物４０、始動口２２、遊技球が転動可能な下ステージ７７、および、クルーン３０から排出された遊技球を始動口２２あるいは下ステージ７７方向に振り分ける振分手段である振分機構８２、左右にスライドする一対の可動部材を有するマグロ役物７１等を備えたセンター部材２６が設置されている。
【００１７】
また、表示部材３８およびセンター部材２６の左方には、遊技球が流下可能で、遊技球が入賞可能な入賞部材３９，３９が設置された左打ち用スペースＳＬが形成されており、この左打ち用スペースＳＬを流下させることで、ワープ通路３７への進入（すなわち、上ステージ３６上への誘導）や進入口３１への進入（すなわち、センター部材２６への進入）を効率良く狙えるようになっている。一方、表示部材３８およびセンター部材２６の右方にも遊技球が流下可能な右打ち用スペースＳＲが形成されている。この右打ち用スペースＳＲには、遊技球が通過可能なゲート部材２０、大入賞装置として機能する一対の可動片（扉部材）を有するチューリップ式電動役物１７、所謂「大当たり状態」において交互に開閉する２つの可動入賞装置１８Ａ，１８Ｂが設置されている。そして、遊技球を右打ち用スペースＳＲへ流下させることで、ゲート部材２０を通過させたり、開動作しているチューリップ式電動役物１７へ遊技球を入賞させたり、開成している可動入賞装置１８Ａ，１８Ｂへ遊技球を入賞させたりすることができるようになっている。なお、左打ち用スペースＳＬや右打ち用スペースＳＲには、多数の遊技釘が植設されている。また、遊技領域１６外となる遊技盤２の右下部には、第１特別図柄および第２特別図柄をそれぞれ別個に表示可能とした特別図柄表示部７８が設けられている。
【００１８】
また、図１の如く、機枠３の前面側であって上記遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、それぞれ機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。さらに、前扉４の上部には、効果音や各種メッセージ等を報音する一対のスピーカ１４，１４が設けられている。加えて、前扉４の左右両側部には、パチンコ機１の遊技状態等に応じて点灯・点滅する複数のＬＥＤを内蔵したランプ部材１５，１５・・が設けられている。
【００１９】
一方、図３の如く、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御基板や装置・部材に電源電圧を供給するための電源装置２９等が設置されている。また、機枠３の後面側の中央上部には、合成樹脂製の箱状に形成されたセンターカバー２１が装着されており、当該センターカバー２１の内部には、遊技に係る主たる制御（たとえば、所謂「大当たり抽選」等）を実行するためのメイン制御装置６１、演出用表示部６における表示動作等を制御する表示制御装置６３、ランプ部材１５の点灯／点滅動作等を制御する発光制御装置６４、スピーカ１４からの報音動作を制御する音制御装置６５、および、表示制御装置６３や音制御装置６５等の動作を統合的に制御するサブ制御装置６２等が設置されている。なお、メイン制御装置６１は、後述するフォトセンサ４６、非電動役物４０の入賞検知センサ（図示せず）、始動口２２の入賞検知センサ（図示せず）等とインターフェイスを介して接続されている。
【００２０】
＜パチンコ機の特徴部分の説明＞
図３〜図６の如く、センター部材２６の右側には、遊技球が転動可能なクルーン３０が設けられており、そのクルーン３０の下側には、クルーン３０から排出された遊技球を、始動口２２と下ステージ７７とに振り分けて流下させるための振分手段である振分機構８２が設けられている。振分機構８２は、上部に、略矩形の略平板状の転動板８３が後下がりの傾斜状（水平面に対して約５°傾斜した状態）に設けられており、回転振分装置４１が、その転動板８３の略中央から、上部（後述する回転部材４２の支持盤４７の表面側の部分）を露出させた状態で設置されている。また、転動板８３の後方および左右の周囲には、一定高さのガイド壁８４が立設されており、転動板８３の前方の周囲には、透明な合成樹脂によって略矩形に形成されたガード板８０が立設されている。
【００２１】
さらに、転動板８３の後部は、左下がりに傾斜した状態になっており、転動板８３の左後方には、センター部材２６の中央下側に設けられた下ステージ７７上へ遊技球を流下させるための第一通過路である誘導路８６が設けられている。そして、転動板８３の後方のガイド壁８４と左側のガイド壁８４との間に設けられた流下口８５が、誘導路８６の基端に位置した状態になっている。また、ガード板８０の平面の中央上部（後述する回転部材４２の支持盤４７の中央前方）には、遊技球が入賞（通過）可能な第二通過路である始動口２２が設けられており、その始動口２２の左右が、転動板８３より上方に隆起した状態になっている。
【００２２】
また、上記した振分機構８２の上方に設けられたクルーン３０は、流下した遊技球を略一定の時間だけ保持して同じ位置から流下させるためのもので、一定の高さのガイド壁を周設した時計皿状に形成されており、上面を遊技球が転動可能になっている。また、クルーン３０の底面には、遊技球を排出可能な排出口３２が設けられている。
【００２３】
［回転振分装置の構造］
図７（ａ），（ｂ）は、振分機構８２の回転振分装置４１を前方および後方（パチンコ機１の前方および後方）から見た状態を示したものであり、回転振分装置４１は、回転部材４２、駆動装置であるモータ４３、モータ４３の回転力を回転部材４２に伝達するための駆動ギア部材４５、従動ギア部材４４、回転部材４２の回転状態（回動状態）を検知するためのフォトセンサ４６、回転部材４２と従動ギア部材４４とを繋ぐ支軸体５６等によって構成されている。
【００２４】
回転部材４２は、合成樹脂によって一体的に形成されており、扁平な円柱体状の支持盤４７の上面の略中央から、寿司ネタ（マグロのにぎり）をモディファイした寿司ネタ状突起体４８を突出させた形状を有している。そして、その寿司ネタ状突起体４８の上面が傾斜面６０として機能するようになっている。その寿司ネタ状突起体４８の上面は、傾斜面６０の上下方向（上側から下側に至る方向）の長さが直交する方向の長さよりも長くなっており、上下方向に沿って、遊技球の直径と略等しい曲率半径を有する浅い凹状溝８７が設けられている（図４参照）。また、支持盤４７の下面の略中央には、支軸体５６を嵌入させて固定するための嵌入孔（図示せず）が穿設されており、支持盤４７の下面の周縁際には、フォトセンサ４６と協働して回転部材４２の回転位相を検知するための略矩形で平板状の検知板５７が下向きに突設されている。
【００２５】
モータ４３は、円柱状のコイル部を有するモータ本体８８と、そのモータ本体８８を収納して固定させるための設置用ケース５１等によって構成されており、金属製の回転軸４９を下方へ突出させた状態になっている。また、設置用ケース５１の背面には、モータ４３に外部電源を供給するためのコネクタ５０が設置されている。
【００２６】
従動ギア部材４４は、合成樹脂によって一体的に形成されており、外周面から歯車を突出させた扁平な円柱状のギア本体５２の上面の略中央から、支軸体５６を嵌入させて固定するための円筒状の軸受部５３を上方へ突出させた形状を有している。一方、駆動ギア部材４５は、合成樹脂によって一体的に形成されており、歯車を外周面から突出させた扁平な円柱状のギア本体５４の上面の略中央から、モータ４３の回転軸４９を嵌入させて固定するための円筒状の軸受部５５を上方へ突出させた形状を有している。なお、従動ギア部材４４と駆動ギア部材４５とのギア比は１：１になっている（すなわち、従動ギア部材４４の直径および歯車数と駆動ギア部材４５の直径および歯車数とが同じになっている）。また、従動ギア部材４４と回転部材４２とを繋ぐ支軸体５６は、従動ギア部材４４に加わった回転力を回転部材４２に伝えるためのものであり、金属によって長尺な円柱状に形成されている。
【００２７】
一方、フォトセンサ４６は、略鉛直に配置された長尺な平板状の検知器設置板５９の背面に幅広な設置基板５８を設けた十字状に形成されており、検知器設置板５９の表面側の上端際に、光学式のセンサ本体（図示せず）が設置されている。また、設置基板５８の左右の両端際には、それぞれ、フォトセンサ４８をセンター部材２６のフレームに螺着するためのネジ孔が穿設されている。
【００２８】
上記の如く構成された回転振分装置４１は、モータ４３の回転軸４９が略鉛直になるように（すなわち、鉛直方向に対して約５°前方に傾斜するように）配置され、その回転軸４９に固着された駆動ギア部材４５のギア本体５４と、支軸体５６を介して回転部材４２と一体となった従動ギア部材４４のギア本体５２とが噛合した状態となっており、回転部材４２の支持盤４７が略鉛直な軸を中心として回転可能に配置された状態になっている（すなわち、モータ４３の回転軸４９と平行な軸を中心として回転可能に配置された状態になっている）。そのため、回転部材４２の支持盤４７の盤面が、転動板８３の板面と略面一になっている。
【００２９】
そして、モータ４３に外部電源が供給され、モータ４３の回転軸４９が右回りに回転すると、その回転力が駆動ギア部材４５および従動ギア部材４４を介して回転部材４２に伝達されて、回転部材４２が同一の回転速度（角速度）で左回りに回転し、モータ４３の回転軸４９が左回りに回転すると、回転部材４２が同一の回転速度で右回りに回転するようになっている。また、フォトセンサ４６のセンサ本体（図示せず）が発した光線が、回転部材４２の支持盤４７の下面に設けられた検知板５７によって遮断されることによって、回転部材４２の回転位相（回動位相）が検知されるようになっている。
【００３０】
＜パチンコ機の遊技内容＞
上記の如く構成されたパチンコ機１においては、遊技者は、ハンドル９を回動操作して発射装置１０を作動させ、発射通路１３を介して遊技球を遊技領域１６内へ打ち込み、遊技領域１６を流下させてセンター部材２６の進入口３１内への進入（入賞）を狙う。
【００３１】
遊技球がセンター部材２６の進入口３１へ入賞すると、当該遊技球は、図示しない第二振分装置８１によって、左側の第一流路３３あるいは右側の第二流路３４に振り分けられる（なお、第二振分装置８１は、遊技球が単発で進入口３１へ入賞したときは、当該遊技球を左側の第一流路３３に振り分け、遊技球が２個以上連続して進入口３１へ入賞したときは、２個目以降の遊技球を右側の第二流路３４に振り分ける）ようになっている。そして、進入口３１に入賞した遊技球が、右側の第二流路３４に導かれると、その遊技球は、クルーン３０に導かれ、クルーン３０の時計皿状部分の上面を転動した後に、排出口３２から排出される。そして、そのように排出口３２から排出された遊技球は、回転振分装置４１の回転部材４２の傾斜面６０に衝突する。
【００３２】
回転振分装置４１の回転部材４２は、モータ４３の駆動によって、略水平な面内において、略鉛直な軸（すなわち、鉛直方向に対して約５°前側へ傾斜した軸）を中心として、所定の回転角度の範囲内（すなわち、寿司ネタ状突起体４８の傾斜面６０の上下方向（凹状溝８７の方向）をパチンコ機１の前後方向と一致させた回転位置を中心として、±９０°の範囲内）で回転（回動）している。そのため、クルーン３０４の排出口３２から排出された遊技球が回転部材４２の傾斜面６０に衝突すると、回転部材４２の回転位相（回動位相）によって遊技球の流下方向が変化する。
【００３３】
すなわち、図７の如く、回転部材４２が寿司ネタ状突起体４８の傾斜面６０の下側を左右方向の中央に位置させた状態（すなわち、傾斜面６０の上下方向（凹状溝８７の方向）をパチンコ機１の前後方向と一致させた状態）においては、図８の如く、傾斜面６０に衝突した遊技球が、高い確率（略１０個中５個）で、支持盤７９の中央前方に設置された始動口２２に入り込む。なお、始動口２２に入り込まなかった遊技球は、始動口２２の左側あるいは右側から、後下がりに傾斜した転動板８３の上を転動して、転動板８３の後方から、流下口８５を介して誘導路８６に導かれる。
【００３４】
一方、図９の如く、回転部材４２が寿司ネタ状突起体４８の傾斜面６０の下側を右側に位置させた状態においては、図１０の如く、傾斜面６０に衝突した遊技球が、きわめて高い確率（略１０個中９個）で、始動口２２に入賞することなく中央より右側に落下する。また、図１１の如く、回転部材４２が寿司ネタ状突起体４８の傾斜面６０の下側を左側に位置させた状態においては、傾斜面６０に衝突した遊技球が、図１２の如く、きわめて高い確率（略１０個中９個）で、始動口２２に入賞することなく中央より左側に落下する。そして、そのように（始動口２２に入賞することなく）回転部材４２の支持盤７９の中央より右側あるいは左側に落下した遊技球は、後下がりに傾斜した転動板８３の上を転動して、転動板８３の後方から、流下口８５を介して誘導路８６に導かれる。
【００３５】
上記の如く誘導路８６に導かれた遊技球は、マグロ役物７１の左右一対の可動部材の隙間に入り込んだ後に下ステージ７７に導かれて、下ステージ７７の上を後方から前方へ流下する。また、マグロ役物７１は、左右一対の可動部材が隙間を拡げたり狭めたりするように作動しているため、下ステージ７７の上を流下する遊技球の一部が、下ステージ７７の中央前方に設置された非電動役物４０内に入賞する。
【００３６】
そして、上記の如く遊技球が始動口２２あるいは非電動役物４０に入賞すると、メイン制御装置６１によって内部抽選（所謂、「大当たり抽選」）が実行され、その「大当たり抽選」の結果が「大当たり」になると、特別図柄表示部７８および演出用表示部６にそれぞれ所定の「大当たり図柄」が確定表示される（たとえば、演出用表示部６に「７，７」が表示される）とともに、振分機構８２の右側に設けられた大入賞装置であるチューリップ式電動役物１７が所定の回数だけ断続的に開成する（左右一対の扉部材が、それぞれ外方向に傾動する）。したがって、「大当たり状態」が生起した場合には、遊技者は、きわめて高い確率で多くの遊技球を獲得することが可能となる。
【００３７】
また、パチンコ機１においては、メイン制御装置６１の指令に基づいて、フォトセンサ４６によって回転部材４２が予め設定された所定のタイミングで所定の回転位相（回動位相）になっているか否かが常時監視される。さらに、メイン制御装置６１は、フォトセンサ４６からの検知信号に基づいて、予定していない回転部材４２の回転位相において始動口２２に多くの遊技球が入賞していると判断した場合には、不正行為が行われているものと判断して、「大当たり抽選」を実行しないように制御するとともに、演出表示部６の液晶画面に、不正行為が行われている可能性がある旨を表示し、外部へ不正警報信号を出力する。
【００３８】
＜パチンコ機の効果＞
パチンコ機１は、上記の如く、振分手段である振分機構８２が、遊技球を通過可能な第一通過路である誘導路３６と、遊技球が通過することによって誘導路３６を遊技球が通過した場合とは異なる利益を遊技者へもたらす（すなわち、遊技球が通過することによって直ちに内部抽選の条件を充足する）第二通過路である始動口２２と、それらの誘導路３６および始動口２２よりも上方に位置したクルーン３０から落下した遊技球を、誘導路３６あるいは始動口２２に振り分ける振分体である回転振分装置４１とを備えているとともに、回転振分装置４１の回転部材４２が、略鉛直軸（すなわち、鉛直方向に対して約５°前方に傾斜した軸）を中心として回動可能になっており、かつ、クルーン３０から落下した遊技球を衝突させるための傾斜面６０を有している。したがって、パチンコ機１は、回転振分装置４１が回転する傾斜面６０に落下した遊技球を衝突させることによって遊技球の流路を振り分けるものであるため、振分機構８２による遊技球の振り分け方法が結果を予測し難い斬新なものであるので、趣向性が高く、遊技者の遊技意欲を長期間に亘って高く保持することができる。
【００３９】
また、パチンコ機１は、始動口２２内を遊技球が通過（すなわち、始動口２２に遊技球が入賞）したことを条件として内部抽選を実行し、その内部抽選の結果に応じて「大当たり状態」を生起させるものであり、振分機構８２による遊技球の振り分けの結果が「大当たり状態」の生起に関係しているため、振分機構８２による遊技球の振り分けの内容がエキサイティングであり、非常に趣向性が高く、遊技者の遊技意欲をきわめて長期間に亘って高く保持することができる。
【００４０】
さらに、パチンコ機１は、回転部材４２の傾斜面６０が、上下方向に沿って凹状溝３８を設けたものであるため、回転部材４２が傾斜面６０の上下方向を前後方向に合致させたときに傾斜面６０に衝突した遊技球が始動口２２に導かれ易いので、所定の出玉率となるように回転部材４２の回転態様を制御し易い。
【００４１】
＜遊技機の変更例＞
なお、本発明に係る遊技機の構成は、上記実施形態の構成に何ら限定されるものではなく、振分機構（回転振分装置、転動板、ガイド壁、流下口、誘導路）、クルーン、始動口、非電動役物、演出表示部等の形状、構造等の構成や、「大当たり状態」の生起時の作動内容等の遊技内容等を、本発明の趣旨を逸脱しない範囲で必要に応じて適宜変更することができる。
【００４２】
たとえば、本発明に係る遊技機は、上記実施形態の如く、回転振分装置が噛合した２つのギアを介してモータの回転力を直接的に回転部材に伝達するものに限定されず、ベルト等を利用してモータの回転力を間接的に回転部材に伝達するもの等に変更することも可能である。また、回転振分装置がモータによって回転部材を回転させるものに限定されず、回転振分装置がソレノイド等のモータ以外の駆動装置によって回転部材を回転させるものに変更することも可能である。
【００４３】
さらに、回転振分装置は、上記実施形態の如く、略鉛直軸（すなわち、鉛直方向に対して約５°前方に傾斜した軸）を中心として回転部材を回動させるものに限定されず、鉛直軸を中心として回転部材を回動させるものに変更することも可能である。また、回転振分装置を、上記実施形態の如く、略鉛直軸を中心として回転部材を回動させるものとする場合でも、回転軸と鉛直方向との成す角度が約５°になっているものに限定されず、回転軸の傾斜角度（鉛直軸と成す角度）を略４５°以下の範囲内で必要に応じて適宜変更することができる。
【００４４】
加えて、回転振分装置は、上記実施形態の如く、従動ギア部材と駆動ギア部材とのギア比が１：１であるものに限定されず、従動ギア部材の歯車数が駆動ギア部材の歯車数よりも多いものや少ないものに変更することも可能である。なお、上記実施形態の如く、従動ギア部材と駆動ギア部材とのギア比を１：１にした場合には、回転部材の位相の監視の制御が容易になる、というメリットがある。
【００４５】
また、本発明に係る遊技機は、上記実施形態の如く、排出部材であるクルーンから振分手段（回転振分装置）へ遊技球が導かれるものに限定されず、単純な一対の障害釘の間や流下する遊技球の速度を低減させるための障害突起を設けた流路等を介して振分手段（回転振分装置）へ遊技球が導かれるもの等に変更することも可能である。なお、本発明に係る遊技機を、上記実施形態の如く、クルーンから回転振分装置へ遊技球が導かれるものとした場合には、回転振分装置の振分体に衝突する際の遊技球の速度がきわめて遅い速度に均一化されて、遊技者が振分体による振分態様を確認し易くなるため、遊技機の趣向性がより一層向上する、というメリットがある。
【００４６】
なお、特許請求の範囲、明細書および図面に記載される全ての要素（たとえば、振分機構８２、回転振分装置（回転部材、駆動装置、従動ギア部材、駆動ギア部材、フォトセンサ）、始動口、誘導路、クルーン等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００４７】
１・・パチンコ機（遊技機）
２２・・始動口（第二通過路）
４１・・回転振分装置
４２・・回転部材（振分体）
４８・・寿司ネタ状突起体
６０・・傾斜面
８２・・振分機構（振分手段）
８６・・誘導路（第一通過路）
【図１】
2020080899.tif 000003
【図２】
2020080899.tif 000004
【図３】
2020080899.tif 000005
【図４】
2020080899.tif 000006
【図５】
2020080899.tif 000007
【図６】
2020080899.tif 000008
【図７】
2020080899.tif 000009
【図８】
2020080899.tif 000010
【図９】
2020080899.tif 000011
【図１０】
2020080899.tif 000012
【図１１】
2020080899.tif 000013
【図１２】
2020080899.tif 000014